(57)【特許請求の範囲】
【請求項１】
下地基盤上に、順次に、下記(A)から(C)層が形成されていることを特徴とする植栽用構造体。
(A)防水層
(B)熱硬化性樹脂成形物の破砕物を熱硬化性樹脂をバインダーとして固化形成してなる、空隙率５％以上を有して透水性である保護材層
(C)植栽用土壌層
【請求項２】
保護材層(B)が、厚さが１０〜２００ｍｍである請求項１記載の植栽用構造体。
【請求項３】
熱硬化性樹脂が、不飽和ポリエステル樹脂、ウレタン樹脂、エポキシ樹脂、アクリル樹脂のいずれかである請求項１記載の植栽用構造体。
【請求項４】
熱硬化性樹脂成形物の破砕物を熱硬化性樹脂をバインダーとして固化形成してなる、空隙率５％以上を有して透水性であることを特徴とする防水層保護材。
【発明の詳細な説明】
【０００１】
【発明の属する技術分野】
本発明は、特にコンクリート製基盤の屋上に形成される植栽用構造体に関するもので、特に防水層保護材として熱硬化性樹脂成形物の再生、有効利用を可能としたもので、不要となった熱硬化性樹脂成形物の破砕物を熱硬化性樹脂をバインダーとして成形したブロック状、プレート状、またはこの混合物を敷き均して屋上緑化のための植栽用構造体に関するものである。
【０００２】
【従来の技術】
近年、都市化の増大で緑地などの自然環境が大幅に減少したことと合わせ、アスファルト、コンクリートなどの輻射熱や都市活動に伴う排熱などで周辺地域より気温が高くなるヒートアイランド現象が問題化している。この問題解消策の一例として、東京都は他都市に先駆け「緑の東京計画」などを策定して、ヒートアイランド現象の防止と排出炭酸ガスの抑制に寄与する屋上緑化の取組みを推進している。
屋上緑化はビルの庇、屋上に土盛り行い、芝生、草花、樹木などの植物を植栽するもので、当然、この植栽をする下の基盤には防水層が施されている。これら植栽下の防水層は、アスファルト、ゴムシート、塩ビシート、ウレタン塗膜、ＦＲＰ防水材などが構築物の一般的防水材として用いられている。
屋上緑化を目的とした植栽は下地基盤の上に防水層を設け、更にその上に直接、間接的に土盛りをして植栽するケースが一般的である。これら植栽の際にはスコップ、鍬、機械工具類の使用で折角の防水層を傷つけ漏水を誘発する場合がある。また、植物の根による防水材の損壊も発生する。このように防水層を損壊させることを避けるために、防水層上にモルタル、コンクリート、アスファルトなどの通常品、または軽量品の成形物、或いは流し延べ物を敷き設して防水層保護材とする方法が採られている場合がある。
しかし、これらの保護材は重量、透水及び保水性、機械的強度などの特性において好ましい性質を有しているとは云えない。即ち、保護材としては、スコップ、鍬、機械工具類などから防水層を保護でき、且つ、植物の耐根性を有し、植物に必要な透水性と、保水性、適度な耐積載性を有し、構築物に重量の負担を軽減する軽量なものが好ましいが、これまでにそのような保護材が提案されていない。
【０００３】
一方、産業廃棄物に目を向けると樹脂成形物、プラスチックの廃材類は、収集され、単一にて、ある程度再生・再利用されていたが、ほとんどのプラスチック類は焼却、または埋め立て等による最終廃棄処分がなされている。廃棄物である樹脂成形物、プラスチック類は焼却時に黒煙や有毒ガスまたはダイオキシンが発生し、社会問題となっている。また、焼却時の燃焼温度が高温のため、焼却炉の寿命を縮めたりする。既に、廃タイヤやプラスチック類はセメント製造時の原燃材としてリサイクルされている例もあるが、望ましくはマテリアルリサイクルによって形あるものに再生することが理想である。ＦＲＰと呼ばれるガラス繊維強化プラスチック成形物（ＦＲＰ成形物と略する）は、焼却後にガラス繊維が残るため、主に破砕だけなされ、埋め立て処分が妥当とされている。それにともなって、廃棄物の埋め立て地の確保も問題となってきている。また、従来、廃棄ＦＲＰのリサイクル方法として、微粉砕してフィラーとして回収する方法やケミカルリサイクルでモノマー、ガラス繊維等に分別回収する方法もあるが、いずれもコストが高く実用的ではなかった。
このような状況から、樹脂成形物、プラスチックの廃材類は、その一部が再利用されているものの、十分に活用されている訳でなく、更なる活用が紙上で声高に言われているのが現状である。
【０００４】
【発明が解決しようとする課題】
本発明は、工具類などから防水層を保護でき、且つ、植物の耐根性を有し、植物に必要な透水性と、保水性、適度な耐積載性を有し、構築物に重量の負担を軽減する軽量な保護材層を有し、且つ該保護材層として、樹脂成形物、プラスチックの廃材類を有効活用してなるものを使用し得ることができる植栽用構造体を提供することにある。即ち、本発明では、屋上緑化の目的で植栽を行うときスコップや鍬、機械工具類、植物の根から防水層の損壊を避けることができることに加えて、保護材層として、樹脂成形物、プラスチックの廃材類を有効活用することにより、廃棄ＦＲＰ成形物の焼却処分によって発生する公害や埋め立て処分による土地確保等の問題を解決することも可能にしている。
【０００５】
【課題を解決するための手段】
本発明者らは、鋭意研究の結果、防水層を保護し、且つ、植物の耐根性を有し、植物に必要な透水性と、保水性、適度な耐積載性を有し、軽量な防水層保護材を見出し、本発明を完成するに至った。
即ち、本発明は、下地基盤上に、順次に、(A)防水層、(B)熱硬化性樹脂成形物の破砕物を熱硬化性樹脂をバインダーとして固化形成してなる、空隙率５％以上を有して透水性である保護材層及び(C)植栽用土壌層が形成されていることを特徴とする植栽用構造体に関する。
【０００６】
【発明の実施の形態】
本発明の植栽用構造体を構成する下地基盤としては、屋上庭園、構築物の階上に設けられた歩道床、プレイグランドに供する屋上、庇、バルコニーなどを構成するコンクリートや石材、場合によっては木質材からなるもので、防水性のないものである。
【０００７】
本発明での防水層(A)とは、基盤上に公知のアスファルト、ゴム化アスファルト、ゴムシート、塩ビシート、ウレタン樹脂などが塗布された層、ＦＲＰなどの防水材を施工したものである。かかる防水層の厚さは、通常、１〜１０ｍｍ程度が適当である。
【０００８】
本発明の植栽用構造体に於いて、上記防水層(A)の上に積層される保護材層(B)としては、熱硬化性樹脂を用いて得られ、空隙率５％以上を有して透水性であり、実質的に前出のモルタル、コンクリート、アスファルトなどと同様に耐根性であり、衝撃、擦過による損傷、荷重による凹みを防止する効果を有する上に、保水性を合わせ持ち、構築物への重量負担を軽減できる重量で、モルタル、コンクリート、アスファルト類に比べ約１／２の密度、即ち０．９〜１．３で、強度も高く植栽用構造体用に適した性能を有しているものが好ましい。
植栽を行う時には、防水層(A)の材料の種類によっては植物の根によって傷をつけられたり、破壊されるものがあるため、防水材が損傷を受けないように保護材層の空隙率、厚さなどを適宜選択するなど種々工夫される。
【０００９】
本発明の植栽用構造体中の保護材層(B)はスコップ、鍬、機械工具類などから防水層を保護でき、且つ、植物の耐根性を有し、植物に必要な透水性と、保水性、適度な耐積載性を有し、構築物に重量の負担を軽減する軽量なものが好ましい。
【００１０】
本発明の保護材層(B)に用いる熱硬化性樹脂（バインダー）としては、例えば、ウレタン樹脂、不飽和ポリエステル樹脂、フェノール樹脂、メラミン樹脂、エポキシ樹脂等の液状物であり、アクリルモノマーの部分重合物含有モノマー組成物、即ち所謂アクリルシロップも使用することができる。好ましくは、取り扱い易いウレタン樹脂、不飽和ポリエステル樹脂であり、特に好ましくは１液性で低温硬化性に優れたウレタン樹脂である。
【００１１】
ウレタン樹脂とはバインダーとして代表的なポリウレタン樹脂を説明すれば、常温液状で、有機イソシアネート化合物、例えば、２，４−トリレンジイソシアネ−ト（ＴＤＩと略す）、６５／３５−ＴＤＩ、８０／２０−ＴＤＩ、４，４´ジフェニルメタンジイソシアネ−ト（ＭＤＩと略す）、クルードＭＤＩ、ジアニシジンジイソシアネ−ト、トリデンジイソシアネ−ト、メタキシリレンジイソシアネート、ヘキサメチレンジイソシアネート、フェニレンジイソシアネート、１，５ーナフタレンジイソシアネート、ポリメチレンポリフェニルポリイソシアネート、水添化ＭＤＩ、水添化ＴＤＩなどの如き芳香族ジイソシアネート類、脂環族ジイソシアネート類の中より選ばれた有機ポリイソシアネート化合物、もしくは、これらの単独あるいはこれらの混合物にポリオールを、好ましくはＮＣＯ／ＯＨ当量比１．５以上、より好ましくは１．５〜２０の比率で反応させたＮＣＯ基含有プレポリマーの単独あるいは混合物よりなる常温で液状の一液型のもの、または該イソシアネート化合物と反応する活性水素化合物とを混合してなる二液型のものである。
【００１２】
不飽和ポリエステル樹脂とは、不飽和ポリエステル樹脂にビニル基を有するモノマー類の単独あるいは混合物を加えた溶解液である。好ましいモノマー類は最も一般的なスチレンモノマーである。該溶解液にラジカル硬化剤、硬化促進剤を添加し常温乃至加熱で硬化する。
【００１３】
また、保護材層(B)としては、熱硬化性樹脂成形物の破砕物からなり、熱硬化性樹脂をバインダーとして固化形成してなる空隙率５％以上有するものであれば差し支えなく、熱硬化性樹脂成形物の破砕物の他、熱可塑性樹脂の固形物、廃ゴム、廃プラスチック類、木チッフ゜類、藁類などの有機物や、貝殻、石、鉱物質、シラスバルーンなどの無機物を含有することができる。
【００１４】
かかる熱硬化性樹脂成形物の破砕物とは、廃棄物としての例えば、不飽和ポリエステル樹脂、ビニルエステル樹脂、フェノール樹脂、メラミン樹脂、エポキシ樹脂、アクリル樹脂等の成形物であり、好ましくは熱硬化性樹脂繊維強化成形物である。ここでいう熱硬化性樹脂繊維強化成形物とは、好ましくは、例えば、不飽和ポリエステル樹脂、ビニルエステル樹脂、アクリル樹脂等のラジカル硬化性不飽和樹脂にガラス繊維強化材を混合、含有させ硬化した成形物（以下ＦＲＰ成形物）である。
【００１５】
また、該ＦＲＰ成形物とは、例えば浴槽、浴室パネル、防水パン、洗面化粧台、洗面ボール、台所カウンター、浄化槽等の住宅用部材、パイプ、水槽、等の工業用部材、各種電気部品等、船舶、小型ボート、自動車部材、ヘルメット、マネキン、椅子等が挙げられる。
【００１６】
ＦＲＰ成形物中の繊維強化材とは、無機繊維で、例えば、ガラス繊維、金属繊維、セラミック繊維等で、その平均繊維長は、好ましくは１０mm以下のもので、より好ましくは０．１mm〜５mmの範囲のものである。特に好ましいのはガラス繊維である。また、繊維の形態は、平織り、朱子織り、不織布、マット、ガラスロービング等何れでも良い。特に好ましくは不飽和ポリエステル樹脂ガラス繊維強化成形物である。この廃棄物とは、回収物だけでなく、成形時の失敗廃棄物をも含むものである。
【００１７】
その破砕方法はいかなる方法でもかまわないが、通常使用されている破砕機で、破砕できるより安価な粉砕片を用いる方法が好ましい。その際、ガラス繊維等の複合物を分別する必要はない。該破砕物は粉状、繊維状、ひじき状、板状、塊状の単体あるいは混合物のいずれでもよい。その大きさは粉、塊状物の径は、０．５〜２０mm、糸、ひじき状の長さは１〜２０mm、板状の径は、１〜２０mm、厚さは０．５〜１０ｍｍである。
そしてその破砕物分布域は最小０．５〜最大２０mmの範囲内でどのような分布をしていても構わない。最小側（０．５〜１mm）が全体の２０％以上であれば、目の細かい外観となり、２０％未満であってもやや目の粗い外観となるが、保護材としては何ら問題はない。使用する破砕物の大きさにより成形物の空隙率が左右され、５％以上の空隙が得られるように破砕物の大きさ、その分布を選べばよい。
【００１８】
破砕の方法としては、たとえば目開き４〜２０ｍｍのスクリーンを備えた破砕機を用いるとよい。２ｍｍ未満のスクリーンを用いることは、破砕の効率が悪く好ましくない。
【００１９】
本発明での保護材層(B)の好ましいものである熱硬化性樹脂成形物の破砕物を主体にバインダーの熱硬化性樹脂と混合して得られるもののバインダー量は、好ましくは５〜２５重量％、より好ましくは７〜２０重量％である。しかし、成形方法によりバインダーの量は異なり、例えばプレスによる場合はシームレスの常温混合敷き設に比べてバインダー量が２０〜３０重量％少なくて良い。尚、使用するバインダー量が５〜２５重量％であると、良好な空隙率を維持して透水性に優れ、経済性の面でも良好となり、また、固結強度も高くなる。
【００２０】
また、本発明の構造体を構成する保護材層(B)は、空隙率が５％以上、好ましくは５〜３０％のものである。かかる空隙率が５％未満であると透水性が低下し、重量が増大するため適当でなく、３０％以内であればより強度が高いものが得られるので好ましい。尚、上記熱硬化性樹脂成形物の破砕物の使用は、上述の空隙率を保持するために適宜大きさを調節することが容易である。また、該空隙率の達成は、通常使用する該粉砕物の粒径と成形時の転圧度合いによって行なわれる。本発明に於いて、該保護材層(B)がその中に実質的に連通した空隙を有しており、また、その空隙率については、成形物の体積中に占める空間部の割合のことで、一般的に行われる水置換法、即ち成形物を水中に沈めて空間部以外の部分の水の体積を計測し、成形物の全体積から該空間部以外の体積を徐した空間部体積の割合を計算する方法に基づいた数値である。
【００２１】
本発明での保護材層(B)は、通常ブロック状若しくはプレート状のものであり、好ましくは縦１００ｍｍ〜２０００ｍｍ、横の１００ｍｍ〜１０００ｍｍ、厚み１０〜２００ｍｍのものが使用される。
【００２２】
本発明で使用される保護材層(B)は、熱硬化性樹脂成形物の破砕物以外に、該破砕物の形状に似た貝殻、石、鉱物質の無機物も混合して使用でき、本発明の構造体を循環型のリサイクル型とすることを考慮すると、リサイクルの使用目的としてのセメント産業、鉄鋼産業の原燃材とするために有機材を主として併用するのが好ましい。かかる有機材としては、例えば廃ゴム、廃プラスチック類、木チップ類、藁類などが挙げられる。尚、熱硬化性樹脂成形物の破砕物と他の材料を混合する場合、好ましくは、ニーダー、ミキサー等の混合装置で機械的に混合する。
【００２３】
本発明では、上記保護材層(B)、特に熱硬化性樹脂成形物の破砕物と熱硬化性樹脂とから得られるものを植栽用構造体の防水層保護材として、直接防水層の上に敷き均してシームレスな層を形成させるか、または該混合物をプレス成形することでブロック、プレート状としたものを敷き設して有効利用することになる。
【００２４】
本発明の植栽用構造体の構成中の保護材層(B)は、衝撃、擦過から防水層を保護すること、荷重による凹みから防水層を守ること、植物に必要な水分を有効に補給できることなどの効果を発揮するものである。また、構築物の階上、若しくは屋上に緑化を目的とした庭園に類する用途に利用する時、重要視されるのは基盤（駆体）に掛かる重量負担を軽減するために軽量であることと、植栽に必要な透水性、保水性を併せ持っていることであり、本発明での保護材層(B)はこれらの必要性能を具備していることから植栽用構造体の防水用保護材として最適である。
【００２５】
本発明での保護材層(B)の成形方法について、熱硬化性樹脂成形物の破砕物と熱硬化性樹脂をバインダーとした混合物を用いた場合について述べると、ブロック形状若しくはプレート形状を型取った金型表面温度を常温〜２００℃、好ましくは１００〜２００℃に加熱し、熱硬化性樹脂成形物の破砕物と熱硬化性樹脂をバインダーとした混合物を金型に入れプレス成形し、ブロック状またはプレート状に成形する方法か、防水層(A)の上に直接か、或いはプラスチックフィルムなどを敷いた上に該混合物を所望の厚さになるよう転圧舗装して常温にて硬化させたシームレスな保護材層(B)を形成させる方法がある。
【００２６】
本発明での保護材層(B)は着色加工することもできる。例えば熱硬化性樹脂成形物の破砕物と熱硬化性樹脂を混合する際に顔料粉、或いは予めトナーとした液状またはペースト状の顔料を加えて混合する方法がある。この顔料は、顔料の製造工程もしくは顔料を使った他の製品の製造工程から排出されるロスや廃材を用いても構わない。できあがった保護材に塗装したり、フィルムを貼り付ける方法等を行っても良い。
【００２７】
本発明での保護材層(B)にゴム板、木材、コンクリート板、モルタル板、金属板等を積層しても良い。積層させる方法としては、装飾や機能性向上のために表面でも良いし、施工性を上げるために裏面でも構わない。
【００２８】
本発明で使用し得る熱硬化性樹脂成形物の破砕物、更に混合可能な石、鉱物質の無機物、ゴム、プラスチック類、木チップ類、藁類など乾燥した粒状物に表面処理剤を処理してもよいし、粒状物が湿気を含むものでも良い。表面処理剤としては、本発明の効果を損なわない範囲で可塑剤、プロセスオイル、安定剤、紫外線吸収剤等他の添加剤を併用できる。
【００２９】
防水層(A)の上に保護材層(B)を敷き設する時、直接該保護材層を敷き設してもよいし、防水層(A)の上に、一旦不織布、プラスチックフィルムなどを敷いて保護材層(A)を敷き設することもできる。
【００３０】
本発明での植栽用土壌は芝生、草花、樹木に適したものであれば、その種類、盛土の厚さは任意に選択できる。
保護材層(B)の上に土壌を盛土する時、直接土壌を乗せてもよいし、該保護材層の上に、一旦不織布、織布、など透水性のある敷物を敷いた上に盛土することもできる。
【００３１】
本発明の植栽用構造体は、種々の用途に利用される。用途としては、具体的には、緑化目的の屋上庭園、構築物の階上に設けられた歩道床、芝生などを植生したプレイグランドに供する屋上、庇、バルコニーなどが挙げられる。
【００３２】
【実施例】
以下、本発明を実施例により詳しく説明するが、本発明はこれに限定されるものではない。文中の「部」、「％」は、断りのない限り重量基準である。尚、例中の空隙率は、前記水置換法により算出されたものである。
【００３３】
（実施例１）
コンクリート基盤上に防水用加硫ゴムシートを敷き設した上に、下記「防水層保護材の製法１」の操作で得られた防水層保護用ブロックを敷き詰め、隙間の開いているブロックの目地部分には４号硅砂を詰めて防水層の保護材層を形成させた。
更にその保護材層の上に植栽用の土壌である真砂土を１０ｃｍ厚さに盛土して芝生植栽用の構造体を作成した。
作成した植栽用構造体の上から、水を散布すると真砂土、防水層保護材を通して防水層面まで水が通り、且つ植物に必要な保水性も有していた。
【００３４】
＜防水層保護材の製法１＞
混合機にキッチンカウンター（人造大理石調）成形品の破砕物で１２ｍｍの篩通過品１３５０部を投入し、攪拌を行いながら不飽和ポリエステル樹脂であるポリライトＭＰＳ１８０(大日本インキ化学工業（株）製)１５０部、硬化促進剤剤としてパーブチルＺ(日本油脂（株）製)４．５部を順じ加えて室温下で約５分間均一になるまで混合した。
別に離型剤処理をした縦１５ｃｍ、横２２ｃｍ、深さ４ｃｍで容積１３２０ＣＣの金型に上記で用意した混合物全量を入れ表面が平滑になるようにした後、１７０℃にセットした成形用プレスに金型をセットして７kｇｆ/ｃｍ２の圧力で１５分間保持した後、開圧して縦１５ｃｍ、横２２ｃｍ、厚さ４ｃｍの保護材用ブロック成形品を得た。
この成形品の物性は下表の通りであり、曲げ強度、密度、空隙率において防水層の保護材層に適した性能であった。
（ブロックの物性）
0003778350.tif 000002
【００３５】
（実施例２）
コンクリート基盤上にウレタン塗膜防水を施し、その上に、下記「防水層保護材の製法２」の操作で得られた防水層保護用ブロックを敷き詰め、隙間の開いているブロックの目地部分には４号硅砂を詰めて防水層の保護材層を形成させた。
更にその保護材層の上に植栽用の土壌である真砂土を１０ｃｍ厚さに盛土して芝生植栽用の構造体を作成した。
作成した植栽用構造体の上から、水を散布すると真砂土、防水層保護材を通して防水層面まで水が通り、且つ植物に必要な保水性も有していた。
【００３６】
＜防水層保護材の製法２＞
実施例１と同様に混合機にキッチンカウンター（人造大理石調）成形品の破砕物で１２ｍｍの篩通過品(E)１３５０部を投入し、湿気硬化型ウレタン樹脂のパンデックスＴＰ−１２２１( 大日本インキ化学工業（株）製)１５０部を前述と同様に混合し、その混合物を実施例１使用の金型に投入した後、１５０℃で７kｇｆ/ｃｍ２の圧力で１５分間保持した後、開圧して保護材用ブロック成形品を得た。
この成形品の物性は下表の通りであり、曲げ強度、密度、空隙率において防水層の保護材層に適した性能であった。
0003778350.tif 000003
【００３７】
（実施例３）
コンクリート基盤上にウレタン塗膜防水を施し、その上に、下記「防水層保護材の製法３」の操作で得られた防水層保護用の現場施工型シームレス固形物の防水層の保護材層を形成させた。
更にその防水層保護材の上に植栽用の土壌である真砂土を１０ｃｍ厚さに盛土して芝生植栽用の構造体を作成した。
作成した植栽用構造体の上から、水を散布すると真砂土、防水層保護材を通して防水層面まで水が通り、且つ植物に必要な保水性も有していた。
【００３８】
＜防水層保護材の製法３＞
現場施工用の成形方法として、前述の混合機を用いて、ＦＲＰ製洗面化粧台（人造大理石調）の破砕物で１２ｍｍの篩通過品１２００部とベージュ色のＦＲＰバスユニット成形品の破砕物で４ｍｍの篩通過品５００部の混合物に、既に６％ナフテン酸コバルトを０．２％添加したポリライトＰＭ４００ (大日本インキ化学工業（株）製)３００部、硬化促進剤パーメックＮ(日本油脂（株）製)４．５部を順じ加えて約５分間均一に混合した。この混合物を鉄製展圧ローラーを用いて厚さ２０ｍｍになるように敷設した。この舗装体は室温で約５時間後に完全硬化した。この成形品の物性は下表の通りであり、曲げ強度、密度、空隙率において防水層の保護材層に適した性能であった。
0003778350.tif 000004
【００３９】
（実施例４）
実施例３の防水層保護材の製法のみが下記「防水層保護材の製法４」に代替した。
作成した植栽用構造体の上から、水を散布すると真砂土、保護材層を通して防水層面まで水が通り、且つ植物に必要な保水性も有していた。
【００４０】
＜防水層保護材の製法４＞
前述の混合機を用いて、ＦＲＰ製洗面化粧台（人造大理石調）の破砕物で１２ｍｍの篩通過品１２００部とベージュ色のＦＲＰバスユニット成形品の破砕物で４ｍｍの篩通過品５００部の混合物に、湿気硬化型ウレタン樹脂のパンデックスＴＰ−１２２１( 大日本インキ化学工業（株）製)３００部を加えて約５分間均一に混合した。この混合物を鉄製展圧ローラーを用いて厚さ２０ｍｍになるように敷設した。この舗装体は室温で約１０時間後に完全硬化した。
この成形品の物性は下表の通りであり、曲げ強度、密度、空隙率において防水層の保護材層に適した性能であった。
0003778350.tif 000005
【００４１】
【発明の効果】
本発明は、保護材層が防水層に対する植物の耐根性、機械的な衝撃、擦過の損壊防止、荷重による凹みを防止するなどの効果をもたらすことができる植栽用構造体を提供することができる。
加えて、本発明によれば、埋め立て処分が主体であった熱硬化性樹脂廃棄物を、マテリアルリサイクルとして、比較的安価な破砕法で粉砕した破砕物をウレタン樹脂、不飽和ポリエステル樹脂などの熱硬化性樹脂をバインダーとして成形したブロック状、プレート状、或いは防水層の上に直接シームレスに敷き設して成形した層を屋上緑化を目的とする植栽用構造体の防水層の保護材層として用いることができる。
【００４２】
更に、熱硬化性樹脂廃棄物等を屋上緑化の植栽用構造体として再利用することで、都市部のヒートアイランド現象の防止、排出炭酸ガスの抑制に寄与し、且つ、廃棄熱硬化性成形物、廃棄プラスチック類を焼却処分によって発生する公害や、埋め立て処分による土地確保等の問題点を解決することができる。かつ、これらの熱硬化性樹脂廃棄物等を利用した本発明の保護材層は、使用後において適度な大きさに破砕すれば、セメント原燃材としてそのまま焼却有効利用できる循環型社会に対応するものである。